(57)【要約】      （修正有）【課題】姿勢バランス調整、肩および脊柱の筋肉バランス調整、姿勢矯正、職業リスク防止、アンチエイジング、および運動強化空間における治療用姿勢矯正ブラジャーおよびその製造方法を提供する。【解決手段】２方向伸縮性布を含む略Ｃ字状に構成され、その一端で姿勢矯正ブラジャーの前部に取り付けられている第１ストラップ１１５と、２方向伸縮性布を含む略Ｃ形状に構成され、その一端で姿勢矯正ブラジャーの前部に取り付けられている第２ストラップ１２０と、水平方向の張力を提供し、第１ストラップ１１５と第２ストラップ１２０との間に位置する可変張力多弾性ストラップ８００と、２方向伸縮性布からなり、多弾性ストラップ８００と２つの側部継ぎ目に取り付けられる胸部バンドと、胸部バンドに縫い付けられ、胸部バンドの３６０度の圧縮を制限するように構成された拡張弾性部材とからなる。【選択図】図１
2019173256.tif 000002
【特許請求の範囲】
【請求項１】
治療用姿勢矯正ブラジャーであって、
前部と；
後部と：
前記前部および後部の下部に沿って延びる弾性胸部バンドと；からなり
前記後部はさらに
上部および下部セクションを有するＣ形状の第１ストラップと；
上部および下部セクションを有するＣ形状の第２ストラップと；
前記第１および第２のＣ形状の第１ストラップと前記胸部バンドとの間に延びる中央部分と；  からなり
前記中央部分はさらに
前記中央部分に沿って設けられたメッシュ層と；
前記Ｃ形状の第１ストラップの前記上部セクションから前記メッシュ層を覆って前記Ｃ形状の第２ストラップの前記上部セクションまで水平に延びる第１の弾性ストラップと；
前記Ｃ形状の第１ストラップの前記下部セクションから前記メッシュ層を覆って前記Ｃ形状の第２ストラップの前記下部セクションまで水平に延びる第２の弾性ストラップと；
前記第１及び第２弾性ストラップの間に延在し、前記メッシュ層の一部を露出させるスリットと、からなり、
前記第１および第２の弾性ストラップは、Ｃ形状の第１および第２ストラップの間に水平方向の張力を与えるように構成されており、
第１および第２の弾性ストラップならびにＣ形状の第１および第２ストラップは、着用者の肩を後方に引き込むことによって着用者の姿勢を矯正するように構成されている。
【発明の詳細な説明】
【技術分野】
【０００１】
関連出願への相互参照
本出願は２００１８年８月７日に出願された「姿勢、能力回復（ＰＰＲ）ブラジャー」という名称の米国特許出願第１６／０５７，５５８号の一部継続出願であり、当該出願は２０１８年７月７日に出願された「姿勢、能力回復（ＰＰＲ）ブラジャー」という名称の米国特許出願第１６／０２９，５６７号の一部継続出願であり、当該出願は２０１８年３月２８日に出願された「姿勢回復ブラジャー」という名称の米国仮特許出願第６２／６４９，５４２号の優先権を主張する。全ての出願の内容は、その全体が参照により本明細書に組み込まれる。
【０００２】
本発明は、筋肉バランス調整の改善、姿勢の矯正、治療上の抗猫背体型の習慣、改善された加齢による猫背、職業リスクの予防およびより良い生産性、ならびに運動の向上のための治療用姿勢矯正ブラジャーを対象とする。本発明のブラジャーは独自に設計されており、通気性、機能性、可動域、およびファッション性を考慮しながら、固有受容姿勢のバランス調整、矯正および運動促進のためのメッシュ−ストラップ織布構造からなる。本発明のブラジャーは独自に設計されており、そして固有受容性後退からの肩甲骨間の距離を狭め、そして女性の健康のための治療的解決を可能にする。
【背景技術】
【０００３】
姿勢矯正衣類は公知であり、数年間、固有受容療法において使用されてきた。主として、身体筋肉をより良好な配置および姿勢に刺激し、その結果、脊柱のわずかなＳ字形状（整形外科的姿勢のゴールドスタンダード）を生じるという目的を有する。良好な姿勢をとることの重要性は、医療専門家およびその分野の非専門家の間でもよく知られておりかつ長い間認められている優先事項である。良好な姿勢は全体的な健康（背中、肩、首の痛みなどの予防）や、運動能力に重要である。動的な運動活動中の姿勢や形態が悪いと、非効率的な生体力学および身体運動をもたらす。姿勢不良は、通常、「猫背」、「胸椎の前傾」、および/または「胸椎の左右の傾き」に観察的に分類される。さらに、姿勢不良によって引き起こされる非効率的な身体運動は、一般的に反復性の傷害を引き起こす骨格筋の運動範囲および強度の十分な利用を妨げることになる。背中、首、および他の痛みを患っている人々のための典型的な治療方法は、カイロプラクティックまたは他の理学療法または整形外科医による査定を求めること、および可能な治療が含まれる。姿勢不良を矯正するためのこのような医療処置は、注射、投薬、リハビリテーション、及び典型的には最後の手段としての外科的矯正を含む。多くの人が広範囲かつ高価なカイロプラクターまたは理学療法治療（短期または長期治療）の費用も時間も支払う余裕がないために、以下の事項を提供し維持する個人の姿勢を適切に矯正するおよび維持するための手頃な方法およびシステムに対する要望が大きい：
ａ）正確な機能的解剖学
ｂ）改善された筋肉効率
ｃ）使用者に対する最小限の不快感ですむ改善された痛み軽減、及び
ｄ）個人がそもそも姿勢不良に関連する痛みを発症しないように良い習慣をつける。
【０００４】
長期的な無重力の影響を打ち消すために、１９７０年代のソビエト宇宙計画の中で、姿勢や運動状態に影響を与える生体力学的要因を洗練するために装着型衣類を使用する最初の試みが始まった。アデリスーツとして知られているこのデバイスは、脳の損傷や脊髄の損傷につながる神経学的状態に起因する姿勢障害を持つ小児患者を治療するために使用される。その設計は比較的単純であり、特に拮抗筋対の標的位置に対する一次関節間の弾性結合を含むものである。しかしながら、筋肉活性化の動的連鎖の崩壊により身体が不均衡になる可能性がある他の多くの方法および過程が未だ存在する。
【０００５】
バランスと姿勢の概念に実質的に専念している筋肉は、時には重力及び反重力筋と呼ばれ、それらは直立した生物に安定した支持基部の範囲内で重心（ＣＯＧ）を維持する能力を提供するツールである。直立バランスは、垂直線が重心からこの支持基部を通って直接下方に進むときに達成される。不均衡があると、体の筋骨格系全体の配置に影響する代償性の異常を引き起こす。最適化された姿勢配置は、身体に対抗する一定の下方への重力に対抗するのに重要である。筋骨格構造の直立力と下向きの重力とが釣り合っているとき、筋肉は最小の仕事量、すなわち最高効率で機能することができる。
【０００６】
直立体がより良好な姿勢を保持する場合、筋肉、靭帯、および骨にかかるストレスや歪みがより少なくなり、それによって長期的に効率が高まり、骨密度と筋肉量を増加させる。重力に対抗する、いわゆる反重力筋は、直立したバランスのとれた姿勢を維持するのに役立つ。下半身では、これらの筋肉は、すなわち、ヒラメ筋、脚の伸筋、大殿筋、大腿四頭筋からなる。上半身および背中の筋肉については、これらの筋肉には、僧帽筋、菱形筋、ならびに肩周囲の小円筋や肩甲下筋などの小さな筋群が含まれる。さらに、頸後頭筋群は頭を直立位置に維持し、それによって頭が前方に転がるのを防ぐ。これらの筋肉群は同時に固有受容過程において重要な役割を果たし、真皮表面の固有受容体が足の圧力に関する重要な情報を神経系を通して反重力筋に送る。継続的に働く重力と組み合わされたこれらの筋肉のあらゆる弱体化は、筋肉機能に影響を与える劣った姿勢安定性をもたらす。治療せずに放置すると、最終的には関節の変性および足の構造的崩壊などの変形をもたらす。姿勢配置は、特に動的な姿勢の間、筋肉の正常な長さと張力の関係を維持するために不可欠であり、体の部分が動きを通して自分自身を調整する容易さを決定する。この配置を乱すと、身体の運動連鎖のバランスが崩れ、人は多数の傷害を受けやすくなる。重力が筋肉や構造に与える影響を制御する上での我々の限界を理解することは、治療プログラムの基礎を形成するはずである。
【０００７】
治療法の1つの選択肢として、姿勢矯正の急増するニーズを満たすために姿勢シャツおよびガードルが創出された。姿勢シャツおよびガードルは通常、自然な解剖学的運動を模倣しない垂直ストラップを含む。これらの垂直ストラップは、着用者の姿勢を矯正するために間違ったアプローチを取る。すなわち、ストラップは自然な姿勢配置を達成するために固有受容矯正に焦点を合わせるのではなく、力に焦点を合わせる。この力は、より良い姿勢の外観で着用者の肩を後ろに押すことがある不自然な配置を生み出すが、しかし実際には、あまり短期または長期の成功を達成しない。胸椎における自然な姿勢配置は、後方筋肉群（すなわち、僧帽筋、菱形筋、広背筋）および前方筋肉群（前鋸筋など）の両方が同じ量の力を発揮し、したがって身体のバランスがとれるようになるときに達成される。したがって、この空間で作られた衣類は、この自然な（固有受容的な）バランスを対象としたが、これらの衣類は、上記のものを含むいくつかの制限のために、この目的を完全に達成することができなかった。
【０００８】
この考えにさらに加えて、これらの会社が利用する垂直ストラップは、臀部の下部で終わり、自然な解剖学的運動を模倣しない不適切で不自然な位置に肩を押し戻す不自然な引っ張りに寄与する。それに対応する絵は、シャツの下部を後ろから掴んで下に引っ張り、臀部の下に押し込むことであり、これは確かにその人の肩を後ろに、また姿勢を真っ直ぐにすることを強いるが、それはまた間違った形で姿勢を整列させ、そして非常に不快であることを証明するであろう。例えば、この種のシャツは、各肩の前部に取り付けられ、脊柱と平行に背中を走り、下の継ぎ目でつながった弾性ストラップ付きの綿の本体で製造された。その同じシャツは解剖学的に不正確であるだけでなく、それはまた非常にきつかった（ライクラ・スパンデックス素材で作られていた）ため、通気性が無く不快であった。必要とされる構築方法はまた、暑くて汗をかく可能性があるこれらのシャツは、等身大である必要があった。
【０００９】
公知の方法およびシステムは、各肩部の前部に取り付け、脊柱に平行に背中を走り、シャツの下部に向かう縫い目に接続された弾性ストラップを備えた綿本体から作製されたシャツ型衣類に関する米国特許出願公開第２００９００６２７０４号および同第２０１１０２１３２８３号を含む。これらのシャツは、メッシュと伸縮性のある織布を使用したライクラ（登録商標）スパンデックス（登録商標）素材で作製される。同様のシステムは、ライクラ（登録商標）スパンデックス（登録商標）組み合わせ素材を使用して、構造的安定性、圧縮、そして運動衣類の外観を提供する。しかしながら、そのような材料は通気性がない。固有受容のために身体からまた身体内における安定性を効果的に獲得し、姿勢の不均衡を矯正するために、ライクラ（登録商標）スパンデックス（登録商標）の衣類は、身体に対して極めてきつく着用されなければならず、不快感をもたらす。
【００１０】
ライクラ・スパンデックス材料は、使用者からの極めて緊密な着用を必要とするだけでなく、見苦しく、ファッショナブルではなく、そして顧客は唯一の層として衣類を着用する傾向がないので、商業的用途には適さない。姿勢矯正衣類の見苦しい人工材料層を覆うためにライクラ・スパンデックスの上に追加の層を着用することによって、通気性の問題は追加の層の気密性さと組み合わされる。この組み合わせのために、個人は典型的にライクラ・スパンデックス製の姿勢シャツを着るのをやめてしまい、したがって、これが姿勢配置する良い習慣を身につけるプロセスを阻害する。これらの問題の全ては、各要因がさらなる否定的な特徴を追加するので、複雑になり、患者が着用することおよび従順性を妨げる。
【００１１】
姿勢を矯正するための１つの治療法は、身体の固有受容感覚を含む。生物は固有受容を用いて、身体の姿勢の内部モデルを空間内において維持する。これは身体の四肢がどのように動いているかについての精神の最良の推測を表す一種の精神アバターである。一次運動皮質が筋肉に発火するように合図するとき、それはまた、遠心性信号を発し、これは随伴発射としても知られている。この第２の信号は、それらが前述の運動移動によって必然的に刺激されるときに、その後の感覚皮質ネットワークの発火を抑制すると仮定されている。治療的に適用される固有受容は、求心性固有受容性移動−制御入力を強化し、その後正規化することによって説明することができる。
【００１２】
垂直ストラップを利用するのではなく、固有受容矯正技術の一形態は、肩甲骨を脊柱に向かって移動させ、したがって解剖学的に正しい水平運動で菱形筋と上部僧帽筋とを収縮させる水平ストラップを利用することである。この自然な姿勢矯正は、物理的に（解剖学的に正しい手段を介して）装着者の姿勢を矯正し、それが矯正された後に受動的に姿勢に影響を与えるので有効である。これは、水平ストラップが着用者に及ぼす自然な張力により達成され、それにより、垂直ストラップの力が常に肩を越えて股関節領域まで引っ張ることなく、着用者が正しい姿勢になりたいと思うようになる。
【００１３】
追加のシステムは、ＵＳ４２０２３２７、ＵＳ４９５７１０３、ＵＳ５１５８５３１、ＵＳ５４５１２００、ＵＳ５５９９２８６、ＵＳ５７１８６７０、ＵＳ６１０２８７９、ＵＳ６２１３９２２、ＵＳ６４４００９４、ＵＳ６６７６６１７、ＵＳ６９３６０２１、ＵＳ７１３４９６９、ＵＳ７１５３２４６、ＵＳ７３９５５５７、ＵＳ７６６２１２１、ＵＳ７８７１３８８、ＵＳ８０４７８９３、ＵＳ８０８３６９３、ＵＳ８３０８６７０、ＵＳ８５１６６１４、ＵＳ８５５６８４０、ＵＳ８７９５２１３、ＵＳ８７９５２１５、ＵＳ８８８７３１５、ＵＳ８９０５９５６、ＵＳ８９１０３１７、ＵＳ８９３２２３６、ＵＳ９００９８６３、ＵＳ９１６７８５４、ＵＳ９１６８１６７、ＵＳ９２２６５３４、ＵＳ９４３９４５９、ＵＳ９４４５９３２、ＵＳ９４５６９１９、ＵＳ９５０４２８０、ＵＳ９８８３７０３、ＵＳ９９３１２３６、ＵＳ２００４０１０７４７９、ＵＳ２００５０１９７６０７、ＵＳ２００６００００４７８Ａ１、ＵＳ２００８０１３４４０９Ａ１、ＵＳ２００９００６２７０４、ＵＳ２０１００１９２２７４Ａ１、ＵＳ２０１２００７８１４９、ＵＳ２０１２０１７４２８２、ＵＳ２０１３００４７３１３、ＵＳ２０１３００５３７４４、ＵＳ２０１３００９０５２１、ＵＳ２０１３０１０３０７９、ＵＳ２０１４００５８３０７、ＵＳ２０１４０１００５０１、ＵＳ２０１４０２２１８９３およびＵＳ２０１５００４０２８６Ａ１を含む。
【００１４】
しかしながら、従来技術の参考文献のいずれも、着用者の姿勢を効率的かつ効果的に矯正する固有受容ブラジャーを提供していない。先行技術文献のいずれも、ブラジャーを用いて、休止位置における肩甲骨間の距離を狭くしたり、肩甲骨から棘突起までの距離を狭くしたりするためのデータを提供していなかった。肩の可動性を可能にし、患者の従順性を促進するのに通気性があり美的に快適であり、着用するのに暑かったり不快となるほどあまりきつくない、解剖学的に正しい動きを使用し、また固有受容筋収縮を使用して右肩甲骨と左肩甲骨との間の距離を狭めることによって、着用者の姿勢を矯正する、より固有受容性の織布姿勢バランス調整ブラジャーに対する必要性が存在する。
【００１５】
したがって、本発明は、これらの問題の全てを解決することを目的とする。
【発明の概要】
【発明が解決しようとする課題】
【００１６】
本発明の目的は、着用者の姿勢を効率的に矯正する固有受容ブラジャーを提供することである。本発明の目的は、両方の肩甲骨（ｓｈｏｕｌｄｅｒ  ｂｌａｄｅｓ）（肩甲骨（ｓｃａｐｕｌａ））を脊柱に近づけるか、または互いに近づけ、着用者の姿勢を矯正する固有受容ブラジャーを提供することである。
【００１７】
本発明の目的は、肩の可動性を可能にし、患者の従順性を促進するのに通気性があり美的に快適であり、着用するのに暑かったり不快となるほどあまりきつくない、解剖学的に正しい動きを用いて着用者の姿勢を矯正する、快適で固有受容性の織布姿勢バランス調整ブラジャーを提供することである。
【００１８】
本発明の目的は商業的に成功し、機能的であることおよびファッショナブルであること（または少なくとも見苦しくないこと）の双方であり、現在および／または将来の胸部、腰部、肩部などの痛みを予防または矯正するのを補助するためにそのような治療を必要とする可能性がある広範囲の使用者に成功裏に到達し、多くの産業、および専門家、ティーンエイジャーの少女、および加齢に見られる職業リスク予防から範囲に及ぶ。
【課題を解決するための手段】
【００１９】
本発明の目的はスタイリッシュで快適な治療用姿勢矯正ブラジャーを提供することによって達成され、前部と；第１ストラップであって、２方向伸縮性布を含む略Ｃ字状に構成され、その一端で姿勢矯正ブラジャーの前部に取り付けられている第１ストラップと；第２ストラップであって、２方向伸縮性布を含む略Ｃ形状に構成され、その一端で姿勢矯正ブラジャーの前部に取り付けられている第２ストラップと；水平方向の張力を提供し、第１ストラップと第２ストラップとの間に位置する可変張力多弾性ストラップと；胸部プレテンション多弾性ストラップバンドであって、２方向伸縮性布からなり、多弾性ストラップと２つの側部継ぎ目に取り付けられる胸部バンドと；胸部バンドに縫い付けられ、胸部バンドの３６０度の圧縮を制限するように構成された拡張弾性部材と、からなる。Ｃ形状構成はまた、Ｃ形状の領域（後肩の右側および左側の双方）を形成し、これは、より良好な筋肉固有受容のために、肩甲骨の全体の塊をその全ての境界に沿って包み込む。パワーメッシュはＣ形状バンドに挟まれ、フロントインナブラジャーとバックブラジャーに構成され、パワーメッシュはＣストラップのみ、フロントブラジャーのみ、バックブラジャーのみ、又はこれらの全て若しくは一部の組み合わせの様々な組み合わせに埋設することができる。
【００２０】
本発明の他の目的は治療用姿勢矯正ブラジャーを提供することによって達成され、前部と；第１ストラップであって、２方向伸縮性布を含む略Ｃ字状に構成され、その一端で姿勢矯正ブラジャーの前部に取り付けられている第１ストラップと；第２ストラップであって、２方向伸縮性布を含む略Ｃ形状に構成され、その一端で姿勢矯正ブラジャーの前部に取り付けられている第２ストラップと；水平張力を提供する可変張力多弾性ストラップであって、予め張力をかけられ、着用者のサイズに係属する様々な幅（通常、１〜４インチ）を有する少なくとも１つの水平多弾性ストラップからなる可変張力多弾性ストラップと；可変張力多弾性ストラップの下に設けられているメッシュ層と、からなる。メッシュ層はまた、ブラジャー全体または部分的ブラジャーの単一または二重裏地として、または単にＣストラップにおいて提供される。
【００２１】
ある実施形態では、少なくとも１つの水平多弾性ストラップは、第１ストラップと第２ストラップとの間に配置される。
【００２２】
ある実施形態では、可変張力多弾性ストラップは、第１ストラップと第２ストラップとの間の、少なくとも２つの水平方向に離間した多弾性ストラップからなる。ある実施形態では、可変張力多弾性ストラップは、第１ストラップと第２ストラップとの間の、少なくとも３つの水平方向に離間した多弾性ストラップを備える。
【００２３】
ある実施形態では、少なくとも１つの水平方向に離間して予め張力をかけられた弾性ストラップが提供される。ある実施形態では、少なくとも１つの水平方向に離間して予め張力をかけられた弾性ストラップ。ストラップは、ブラジャーの外部に縫い付けられるか、またはブラジャーの内部に縫い付けられるかのいずれかである。後方弾性ストラップメッシュ統合体は、任意の既存のブラジャーに縫い付けることができる。Ｃストラップ後方弾性メッシュ統合体は、任意の既存のフロントパネルブラジャーまたは適切なブラジャーに一体化することができる。
【００２４】
ある実施形態では、第１ストラップのＣ形状および第２ストラップのＣ形状がほぼＸ字形の構成を形成し、その形状を形成する対向するＣ形状は着用者の背中に渡り接触するか、または交差することができる。
【００２５】
ある実施形態では、第１ストラップのＣ形状と第２ストラップのＣ形状とが互いに対向し、そのような第１ストラップおよび第２ストラップはそれぞれ、着用者の背中の中心から離れて対面するＣ形状を有する。ある実施形態では、第１ストラップのＣ形状および第２ストラップのＣ形状が使用者の呼吸を容易にし、快適にフィットするように、主として肩甲骨を後退させ、第２に胸郭を拡張させるように構成される。Ｃ形状ストラップは肩甲骨の境界に沿って位置し、肩甲骨のより良好な固有受容および運動のために肩甲窩全体をまとめる。
【００２６】
ある実施形態では、第１の上部多弾性ストラップはＣ形状ストラップの上部の間に配置され、下部多弾性ストラップはＣ形状ストラップの下部の間に配置される。
【００２７】
ある実施形態では、第１ストラップおよび第２ストラップはそれぞれ、着用者の脊柱のＳ字曲線を促進し、支える側部縫い目を含む。
【００２８】
ある実施形態では、多弾性ストラップは、着用者の胸部を着用者の前方に向かって引っ張るように構成され、したがって、呼吸を容易にし快適にフィットするように、着用者の胸郭を開く。
【００２９】
ある実施形態では、多弾性ストラップは、シーソー運動を提供するように構成され、その結果、肩甲骨固有受容収縮が改善され、第２に、呼吸をより良好にするように胸郭を拡張する。
【００３０】
ある実施形態では、胸部の外側部分に位置する拡張弾性体が多弾性ストラップと組み合わさって、吸入中の胸郭の拡張と、肩甲骨を適切な配置に引き戻すこととを同時に可能とし、これにより、適切な姿勢矯正を維持しながらも、より容易にフィット感を得られる。
【００３１】
ある実施形態では、後方多弾性ストラップは、ナイロン、テンセル、およびスパンデックスのうちの１つまたは複数からなる。ある実施形態では、多弾性ストラップは、約６５％〜約９０％のナイロン、約５％〜約２０％のテンセル、および約５％〜約２０％のスパンデックスからなる。ある実施形態では、多弾性ストラップは、約８０％のナイロン、約１０％のテンセル、および約１０％のスパンデックスからなる。ある実施形態では、後方多弾性ストラップは、任意の混合布であってもよい。パワーメッシュは、合成または非合成の任意の組み合わせ材料であってもよい。
【００３２】
ある実施形態では、ブラジャーは、１または複数の多弾性ストラップからなる。ある実施形態では、ブラジャーは、上下に配置された複数の可変張力多弾性ストラップからなる。
【００３３】
ある実施形態では、多弾性ストラップは、第１の上部多弾性ストラップと、第２の下部多弾性ストラップとを含む。ある実施形態では、第１の上部多弾性体は、Ｃ形状の第１及び第２ストラップの上部セクションの間に配置される。ある実施形態では、第２の下部多弾性ストラップがＣ形状の第１および第２ストラップの下部セクションの間に配置される。
【００３４】
ある実施形態では、ブラジャーは、３以上の水平可変張力多弾性ストラップからなる。ある実施形態では、ブラジャーは、４以上、または５以上の水平可変張力多弾性ストラップからなる。ある実施形態では、ブラジャーは、Ｘ字形構成で構築された可変張力多弾性ストラップからなる。ある実施形態では、ブラジャーは、Ｘ形状構成で構築された、複数の水平可変張力多弾性ストラップと可変張力多弾性ストラップとからなる。ある実施形態では、Ｘ形状構成多弾性ストラップの上方に配置される水平多弾性ストラップ。ある実施形態では、弾性ストラップは、肩甲骨の上角度から肩甲骨の下角度までの範囲にわたるように配置することができる。
【００３５】
ある実施形態では、使用時に、多弾性ストラップはうなじの周り、またはその下、および着用者の背中の中心の間に延在する。ある実施形態では、使用時に、多弾性ストラップは着用者の肩甲骨に沿って、および／または肩甲骨を横切って、上から下に横たわる。
【００３６】
ある実施形態では、多弾性ストラップは、最大に延伸されたとき、すなわち、予め張力をかけられた状態で提供される。
【００３７】
ある実施形態では、第２ストラップは、ブラジャー着用者を後方に引張ることを提供し、水平方向への伸張を提供することによってまた着用者の脊柱の中心に向かって引っ張ることによって、ブラジャー着用者の胸郭を適切な配置にする。
【００３８】
ある実施形態では、多弾性ストラップは、ブラジャー着用者を後方に引張ることを提供し、水平方向への伸張を提供することによってまた着用者の脊柱の中心に向かって引っ張ることによって、ブラジャー着用者の胸郭を適切な配置にする。
【００３９】
ある実施形態では、姿勢矯正ブラジャーの前方部分は、２つのカップ部分を含み、２つのカップ部分は着用者の乳房を支えることができる。
【００４０】
ある実施形態では、ブラジャーは、着用者に支えを提供する。ある実施形態では、多弾性ＰＰＲストラップと組み合わされた胸部バンドは、着用者の姿勢に対する調節の程度に影響を与えるように変動する幅および張力を有する。
【００４１】
ある実施形態では、第１ストラップおよび第２ストラップはそれぞれ、約１〜４インチの範囲内の幅を有する。ある実施形態では、第１ストラップおよび第２ストラップは、着用者のサイズに応じて様々な幅のものとすることができる。ある実施形態では幅は同様の幅で予め張力がかけられている。
【００４２】
ある実施形態では、ブラジャーは、着用者の姿勢を矯正するための固有受容機構として作用する多弾性ストラップを含む。ある実施形態では、胸部バンドおよび拡張弾性体が着用者の両脇の下に位置する。ある実施形態では、着用者の姿勢の矯正は、固有受容的に矯正される。ある実施形態では、ブラジャーは、着用者の肩を後方に後退させることによって着用者の姿勢を矯正し、したがって肩甲骨を適切な解剖学的位置に配置する。
【００４３】
ある実施形態では、ブラジャーは運動能力を向上させる。
【００４４】
ある実施形態では、ブラジャーは、抗菌性水分吸い上げ性を含み、紫外線（ＵＶ）から保護し、合成または非合成材料と組み合わせる。
【００４５】
ある実施形態では、ブラジャーはサイドパネルを含み、サイドパネルは着用者の胸郭を横切ってより低い力の分配を促進する。ある実施形態では、ブラジャーは、形状適合性であり、着用者の身体に適合するように設計される。
【００４６】
ある実施形態では第１ストラップは下部セクションと上部セクションとを含み、第１ストラップの上部セクションはストラップの下部セクションよりも大きな力を着用者に提供する。ある実施形態では第２ストラップは下部セクションと上部セクションとを含み、第２ストラップの下部セクションは第２ストラップの上部セクションよりも大きな力を着用者に提供する。
【００４７】
ある実施形態では、上部セクションは、ブラジャーの胸部に接続する。ある実施形態では、上部セクションは、前部の上端とＣ形状の中心位置の周りとの間に延在する。ある実施形態では、下部セクションは、Ｃ形状の中央位置と前部の側端との間に延在する。ある実施形態では、使用時に、肩甲骨の上角度に対応して、肩から着用者の脊柱のＣ７−Ｔ３椎骨に近接する位置まで延びるように位置決めされた上部セクション。ある実施形態では、上部セクションの位置は、固有受容収縮を改善する。ある実施形態では、使用時に、Ｔ６〜Ｔ８椎骨に近接する位置から肩甲骨の下角に近接する位置まで延びるように位置決めされた下部セクション。ある実施形態では、下部セクションの位置により、胸郭の拡張が改善され、より良好な吸入を可能にする。ある実施形態では、上部セクションは、着用者の背中の菱形筋および／または上部僧帽筋の長さに重なる。
【００４８】
ある実施形態では、第１ストラップおよび第２ストラップの下部セクションはそれぞれ、前部と後部との間を接続する側部継ぎ目を含む。
【００４９】
ある実施形態では、第１ストラップおよび第２ストラップはそれぞれ、下部セクションを上部セクションに接続する中間継ぎ目を含む。
【００５０】
ある実施形態では、ブラジャーは、多弾性ストラップ部分の下に設けられ、着用者に改善された肩後退および快適さを提供するように構成された単一または二重メッシュ層をさらに含む。
【００５１】
ある実施形態では、メッシュ本体は、ナイロン、スパンデックス、綿、ポリエステル、シフォン、デニム、レース、革、羊毛、またはそれらの組合せからなる群から選択される材料から製造されるが、合成または非合成材料を除外するものではない。
【００５２】
ある実施形態では、ブラジャーは、左右の肩甲骨間の距離を狭めることによって着用者の姿勢を矯正する。ある実施形態では、左右の肩甲骨間を狭める距離は、少なくとも５ｍｍである。
【００５３】
ある実施形態では、ブラジャーの前部は、第１ストラップおよび第２ストラップから取り外し可能かつ交換可能である。ある実施形態では、ブラジャーの前部は、複数のスタイル、メッシュ層を含み、カスタマイズ可能なオプションを含む。
【００５４】
ある実施形態では、胸部バンドは、呼吸の容易さおよびより快適なフィット感を可能にする。
【００５５】
ある実施形態では、胸部バンドは、胸郭の拡張的な動きを改善しうる。
【００５６】
ある実施形態では、胸部バンドは、脊柱に向かう後退を生じさせる一方で、着用者の姿勢を矯正するための固有受容機構としても作用する多弾性ストラップである。
【００５７】
ある実施形態では、ブラジャーは、着用者の肩甲骨のバランス調整を補助する。ある実施形態では、ブラジャーは、着用者の回旋腱板の過度の屈曲−伸展を防止する。ある実施形態では、ブラジャーは、着用者の肩甲骨回転筋、脊椎筋の損傷を防止する。ある実施形態では、側部継ぎ目が肩甲骨、脊柱、および胸郭を伴う前方および後方への移動を可能にするように、背部の湾曲を支える。
【００５８】
ある実施形態では、ブラジャーの後方部分は、少なくとも１つの統合交差部を介して二次ブラジャーに一体化されるように構成され得る。
【００５９】
ある実施形態では、ブラジャーは、理想的な姿勢に満たない、または以下からなる群から選択される関連疾患に罹患している着用者に姿勢支援を提供する：猫背、肩甲骨ジスキネシス、後弯、前方頭部、前弯、脊柱側弯症頸椎損傷からの猫背、腱板断裂、肩の病状、妊娠、慢性的な猫背を持つ大きな密度の高い乳房の女性、加齢姿勢、首の病状、慢性頭痛、肩鎖関節分離、関節炎、および、全般的な後方筋肉組織の衰弱、肩の筋肉のバランス調整、肩のリハビリテーション、肩の回復、肩の訓練、肩甲骨バランス調整、筋肉の緊張バランス調整、頸部/後頭神経痛、肩関節周囲炎、翼状肩甲骨。
【００６０】
ある実施形態では、ブラジャーは、直接的な理学療法の形態を介して、および固有受容フィードバックを介して間接的に、着用者の姿勢を矯正する。ある実施形態では、ブラジャーは、任意の既存のシャツまたはドレスに縫い付けられるか、または生産経路で事前に縫い付けられ得る。
【００６１】
ある実施形態では、多弾性ストラップは、着用者が正しい姿勢配置で立っているか、または座っているときに、ブラジャーのすべての張力を緩和するように設計され、可変張力多弾性ストラップは後方への引っ張りを停止する。
【００６２】
ある実施形態では、ブラジャーは、着用者の全可動域を可能とし、動きの制限は最小限に抑えられる。ある実施形態において、ブラジャーは、筋骨格の再配置を矯正し、これは、次いで、着用者における血液循環を改善する。ある実施形態では、ブラジャーは運動能力を向上させる。
【００６３】
本発明の他の目的は、治療用姿勢矯正ブラジャーを製造する新しい設計の革新的な方法に関する。
【００６４】
本発明の他の目的は、姿勢矯正のための固定点を提供し、肩甲骨を脊柱に近づけて後退させる、多弾性ストラップを備えた対向Ｃ形状を有するブラジャーデバイスであって、「非伸縮性」ナイロンおよび／またはテンセルスパンデックス織布、ならびに様々な布の組み合わせを含むブラジャーデバイスを対象とする。
【００６５】
ある実施形態では、本発明の衣類はまた、より大きなカスタマイズを提供するために、取り外し可能な背面および前面を含む。
【００６６】
本発明の他の目的は、使用者の姿勢を矯正するための衣類デバイスを提供することによって達成され、衣類デバイスは織布による対向するＣ構造、１または複数の上部ストラップ、胸部バンド、拡張弾性体、側部継ぎ目、および背部の多弾性ストラップ、からなる。
【００６７】
ある実施形態では、着用者の姿勢の矯正は、肩甲骨の筋収縮によって固有受容的に矯正される。ある実施形態では、衣類は、着用者の姿勢を矯正する。ある実施形態では、少なくとも１つの可変張力多弾性ストラップは、着用者に支えを提供する。
【００６８】
ある実施形態では、衣類は、肩甲骨を後退させることで着用者の姿勢を矯正し、本質的に、頭部を後方位置に移動させ、首筋にかかる張力を軽減し、肩甲骨を適切な解剖学的位置に配置する。
【００６９】
ある実施形態では、衣類は、運動能力を向上させる。
【００７０】
ある実施形態では多弾性ストラップは、着用者が正しい姿勢配置で立っているときに、衣類の全ての張力を緩和するように構成され、ある実施形態では、衣類は、着用者の全可動域を可能にする。
【００７１】
ある実施形態では、衣類は、別の衣類に縫い付けることができる。ある実施形態では、衣類は、呼吸の容易さおよび快適なフィット感をもたらす。
【００７２】
ある実施形態では、衣類は、着用者の筋肉張力のバランス調整を補助する。ある実施形態では、衣類は、着用者の肩筋バランス調整、肩のリハビリテーション、肩の回復、および／または肩の訓練を補助する。ある実施形態では、衣類は、着用者の肩甲骨のバランス調整を補助する。
【００７３】
ある実施形態では、衣類は織布を含む。ある実施形態では、衣類は編地を含む。ある実施形態では、衣類は抗菌特性を含む。ある実施形態では、衣類は、水分吸い上げ特性を含む。ある実施形態では、衣類が紫外線（ＵＶ）遮断特性を含む。ある実施形態では、衣類前部は、衣類後部から取り外し可能である。
【００７４】
本発明の他の目的ならびにその特定の特徴および利点は、以下の図面および添付の詳細な説明を考慮することによって、より明らかになるであろう。詳細な説明と特別な例は本発明の好ましい実施形態を示すが、単に例示の目的であり、本発明の範囲を限定する意図はないことを理解されたい。
【図面の簡単な説明】
【００７５】
【図１】図１Ａおよび図１Ｂは、本発明の一実施形態によるブラジャーの背面の対向Ｃの拡大図である。
【００７６】
【図２】図２は、本発明の一実施形態による、衣類の前部をブラジャーの後部に連結する調節可能かつ取り外し可能なストラップの図である。
【００７７】
【図３】図３Ａおよび３Ｂは、本発明の実施形態によるブラジャーの後部の図である。
【００７８】
【図４】図４は、図３Ａのブラジャーの前部の描写である。
【００７９】
【図５】図５は、図３Ａのブラジャーのストラップの拡張弾性体の拡大図である。
【００８０】
【図６】図６は、図３Ａのブラジャーのシース付き弾性体及びストラップの拡大図である。
【００８１】
【図７】図７は、図３Ａのブラジャーのストラップに対する対向Ｃの接続点の拡大図である。
【００８２】
【図８】図８は、本発明の一実施形態の多弾性ストラップの図である。
【００８３】
【図９】図９は、図３Ａのブラジャーの側面図である。
【００８４】
【図１０】図１０は、本発明の一実施形態による、第１の上部多弾性ストラップおよび第２の下部多弾性ストラップを有するブラジャーの側面図である。
【００８５】
【図１１】図１１は、図１０のブラジャーの正面斜視図である。
【００８６】
【図１２】図１２は、図１０のブラジャーの前部を示す図である。
【００８７】
【図１３】図１３は、図１０のブラジャーの後部を示す図である。
【００８８】
【図１４】図１４は、図１０のブラジャーの背面斜視図である。
【００８９】
【図１５】図１５は、図１０のブラジャーのメッシュ層および第１および第２の多弾性ストラップの分解図である。
【００９０】
【図１６】図１６は、本発明の一実施形態による、複数の水平可変張力多弾性ストラップを備えるブラジャーの後面図である。
【００９１】
【図１７】図１７は、本発明の一実施形態による、複数の水平可変張力多弾性ストラップと、おおよそＸ形状構成で構築されたストラップとを備えるブラジャーの後面図である。
【発明を実施するための形態】
【００９２】
本出願は参照により、姿勢、能力回復用衣類デバイスシステムと題する米国特許出願第１６／０２４，８８１号を組み込んでいる。この出願の内容は、その全体が参照により本明細書に組み込まれる。
【００９３】
本発明は現在製造されているライクラ・スパンデックス衣類の限界を説明し、固有受容姿勢矯正および筋肉バランス調整を達成するために水平伸張に寄与する多弾性ストラップだけでなく、対向Ｃまたは中央Ｃ設計の双方を含む独特の布設計および構築方法を利用する、装着デバイス製造衣類である。他の構成要素は、１または複数の上部ストラップ、胸部バンド、拡張弾性体、および側部継ぎ目を含む。衣類は、ブラジャーの形態で使用者によって着用されるように設計され、したがって、使用者が自分の唯一の層として着用したくない見苦しい衣類の問題を軽減する。ブラジャーはまた、カスタマイズ可能であり、ファッション性があり、通気性がある。
【００９４】
「姿勢回復とI FEEL GOOD」と称され、（１）着用者の姿勢を固有受容的に矯正すること、（２）姿勢習慣の悪さを矯正することにより、より良好な回復を可能にし、身体の習慣に挑戦すること、（３）ブラジャーを着用した際に良好であると感じること、の３つの名前の項目すべてに対応するデバイスである。衣類はまた、その柔軟性、すなわち衣類付加デバイスとして作用する能力、すなわちブラジャーを任意の既存の衣類に縫い付けることができるか、または生産ラインから新鮮な新しい衣類に予め包装することができることによって、以前の姿勢衣類を改善する。本発明はこの柔軟性を達成すると同時に、全可動域を可能にすることによって、肩の制限および非通気性の問題を解決する。従来の衣類の構造は、閉鎖され、非弾性継ぎ目を有するループの「８の字状」または「馬の首輪」の性質のために、前方の運動範囲を許容しなかった。衣類は、それがない場合と比較して、従来技術の姿勢ブラジャーでは達成することができなかった肩甲骨間の距離を少なくとも５ｍｍ狭める。
【００９５】
衣類の姿勢矯正特徴の１つ「対向Ｃ」または「中心Ｃ」は非伸縮性ナイロンおよびテンセルスパンデックス織布を使用して作成される。代替の実施形態では、「対向Ｃ」または「中心Ｃ」が２方向伸縮性材料を使用して作成される。ある実施形態では、姿勢矯正ブラジャーは、この中心Ｃの設計を作りだすために、はるかに限られた量の空間を有することとなる。この制限された空間が与えられると、ブラジャーはシャツがそうするように、正確な姿勢調整を提供する力を生成するために、布の長さに頼ることができない。したがって、布およびデザインの性質は、より小さいＣ形状で適切な姿勢張力を達成するために変化しなければならず、その詳細は以下で強調される。ある実施形態では、ブラジャーが水分吸い上げ性、抗菌性であり、ＵＶ保護を含み、競合他社のライクラ・スパンデックスとは異なり、通気性である布を使用する。
【００９６】
Ｃ形状の布の織物性質は、従来のフラットロック構造姿勢矯正衣類の典型的な見苦しい継ぎ目構造を排除することである、スタイル上の利益を提供する。上述したように、Ｃ形状は、シャツに対してブラジャーの小さいという性質のため、その長さが制限される。限られた長さの布を補うために、構造的剛性を提供する様にＣ形状に加えられる独特のナイロン結合がある。このナイロン結合は脊柱の中心で多弾性垂直ストラップを補完する、より重い布を生成し、適切な張力速度で姿勢固有受容を提供する。
【００９７】
また、ブラジャーの前部が後部から完全に取り外し可能であるので、衣類はカスタマイズ可能でもあり、これにより、前部および後部の両方のための可変支持の形態の追加の選択性が提供される。ブラジャーの前部は、スタイルの目的および必要とされる支えの変化（より大きい乳房対より小さい乳房）の両方を考慮に入れて、完全な被覆、平坦な前面、または三角形状カットになる。ブラジャーの交換可能な性質により、固有受容矯正のためにブラジャー背部が肩および胸部に提供する圧力の量は変化せず、したがって、より少ない製品の欠点なしに独特の利益を追加する。取り付け点は、上側ストラップおよび側部継ぎ目上にある。
【００９８】
上部ストラップは前部および後部を取り外すために使用することができる相互係止フックで終端するが、下部ストラップはなく、むしろ、ブラジャーの前部および後部の両方に含まれて、後部の湾曲に対する支えを提供する（すなわち、曲げなどの前方および後方移動を可能にする）側部継ぎ目が存在する。側部継ぎ目および多弾性垂直ストラップは、全てが組み合わさって、ブラジャーを着用者の身体の前方に向かって引っ張ることによって、固有受容姿勢矯正にさらに寄与する、下部胸部バンドに接続される。快適さ達成を促進するために、胸部バンドに縫い付けられ、各腕の腋の下に配置された非常に柔軟なアコーディオン型弾性バンドがある。この弾性バンドは、着用者にとって不快な３６０度の圧迫を制限する。さらに、本発明のブラジャーは拡張パネルが単に１つの部品ではなく、代わりに胸郭を開き、着用者がより容易に呼吸することを可能にするので、従来のブラジャーよりも装着が容易である。対照的に、従来のブラジャーは１つの部品で、不快な３６０度の圧縮を提供する。
【００９９】
ブラジャーの主な姿勢矯正機能は、背中およびＣストラップに水平伸張性のメッシュ裏地を有する多弾性ストラップであり、調整された弾性がすべての張力を脊柱の中心に向かって引っ張り、肩甲骨を適切な配置へと引っ張るのを支援する。具体的には、多弾性ストラップは身体の解剖学的筋肉組織に平行な量の張力を生じさせることを含む固有受容様式によって姿勢矯正を達成し、より良好な解剖学的配置への収縮および伸長の能動的および受動的肩甲骨運動、ならびに改善された胸郭可撓性および拡張の容易さを補助する。患者が正しい姿勢配置になると、ブラジャーは自動的に衣類の張力を全て解放する。従って、着用者は、一旦、正しい姿勢の筋肉記憶を達成すると、デバイスにほとんど気付かない。
【０１００】
加えて、多弾性ストラップおよび対向Ｃ構造は可動域及び肩の運動性能を可能としながら、実際には、オーバーハンド運動による過伸展を防止する。これは、回旋筋腱板の過伸展を保護し、したがって、肩および脊椎の筋肉の損傷を防止する。
【０１０１】
本発明の衣類は固有受容姿勢矯正および筋肉バランス調整を達成するために水平伸張を提供するメッシュ多弾性ストラップと同様に、対向Ｃまたは中央Ｃ構成を含む。他の要素は、１または複数の上部ストラップ、胸部バンド、拡張弾性体、および側部継ぎ目を含む。衣類は、ブラジャーの形態で使用者によって着用されるように意図され、構成され、したがって、使用者が彼らの唯一の層として着用したくないという見苦しい衣類の問題を軽減する。衣類はまた、カスタマイズ可能であり、ファッション性があり、通気性がある。
【０１０２】
本発明の衣類の利点には、肩甲骨を後退させることによって着用者の姿勢を固有受容的に矯正すること、したがって、それらの間の距離を狭くすること、より良好な姿勢および形態を介して着用者の性能および運動生成力を改善すること、ならびに悪い姿勢習慣の矯正を介してより良好な回復を可能にすることが含まれる。衣類はまた、その柔軟性、すなわち衣類付加物として作用する能力、すなわちブラジャーを既存の衣類に縫い付けることができるか、または新たに製造された衣類に予め包装することができることによって、以前の姿勢衣類を改善する。本発明の衣類は柔軟性を提供し、肩の制限および非通気性の問題を解決しながら、全可動域を可能にする。従来技術の衣類の構造は、閉じた弾性継ぎ目を有する「８の字状」または「馬の首輪」構成に起因する前方可動域を許容しないものである。
【０１０３】
本発明の姿勢矯正衣類の１つの要素は非伸縮性ナイロンおよびテンセルスパンデックス（登録商標）織布を使用した「対向Ｃ」または「中心Ｃ」構成であり、埋め込み単層または二層裏打ちメッシュ設計を有する。
【０１０４】
本発明のＣ形状布の性質は、従来のフラットロック構造姿勢矯正衣類の典型的な見苦しい継ぎ目構造を排除するというスタイル上の利点を提供する。上述したように、本発明のＣ形状は、既知の矯正シャツと比較して、本発明の衣類ブラジャーのより小さい性質のため、より短い。限られた長さの布を補うために、Ｃ形状に加えられた独特の本発明のナイロン結合は、構造的剛性を提供する。本発明のナイロン結合は脊柱の中心で多弾性垂直ストラップを補完するより重い布を生み出し、適切な量の張力で姿勢固有受容を提供する。
【０１０５】
本発明の衣類はまた、衣類またはブラジャーの前部が後部から完全に取り外し可能であるので、カスタマイズを可能にし、衣類の前部および後部の双方に対して可変支持の形態で、さらなる着用オプションを提供する。衣類の前部は胸部および／または乳房のサイズの範囲を含むために、スタイルの目的および必要とされる胸部支持の変化の両方を考慮して、完全な被覆、平坦な前面、または三角形のカットのために構成されてもよい。衣類の交換可能な性質は、固有受容矯正のために衣類によって肩および胸部に提供される支えまたは圧力の量に変化または影響を与えず、したがって、より少ない製品の欠点が無い状態で、独特の利益を追加する。本発明の衣類の取り付け点は、上部ストラップおよび側部継ぎ目を介している。
【０１０６】
上部ストラップは、前部および後部を取り外すために使用されるインターロックフックを含んでもよい。加えて、本発明の衣類は下部ストラップを欠き、むしろ、前部および後部の双方に側部継ぎ目を含み、背部の湾曲を矯正および／または支え、一方で、屈曲中または起立時など、脊柱の前方および後方への移動を依然として可能にする。側部継ぎ目および多弾性垂直ストラップ(複数を含め)は、着用者の身体の前方に向かって衣類を引っ張ることによる固有受容姿勢矯正にさらに全体として寄与する下部胸部バンドに接続される。快適さの達成を支援するために、本発明の衣類は、胸部バンドに縫い付けられ、各腕の腋の下に配置された、非常に柔軟なアコーディオン型弾性体を含む。この弾性胸部バンドは、着用者にとって不快であり得る３６０度の圧迫を制限する。さらに、本発明の衣類は拡張パネルが胸郭を開き、着用者がより容易に自然に呼吸することができるので、従来の矯正衣類よりも着用が容易である。対照的に、典型的に知られている従来の矯正衣類はワンピースであり、不快な３６０度の圧縮を及ぼす。
【０１０７】
本発明の衣類の主な姿勢矯正の特徴は、背部に水平方向の鋸引張り伸びを有し、脊柱の中心に向かって特定の調整された弾性張力を及ぼし、肩甲骨を互いに近づけ、より良好な配置状態に移動させる、予め張力を与えられた多弾性ストラップメッシュである。メッシュストラップはまた、肩甲骨を緊張させて、改善された解剖学的配置にし、より良好な肩姿勢をもたらす。具体的には、多弾性ストラップは、身体の解剖学的筋肉組織に平行な量の張力を生じさせることを含む固有受容様式によって、姿勢矯正を達成する。本発明の衣類はとりわけ、肩甲回旋筋を位置決めし、増大させて、着用者が正しい姿勢配置となるために肩甲骨後退するのを自然に補助する引っ張り力を提供する。ある程度の使用後、着用者は、着用者が正しい姿勢の筋力および筋肉記憶を達成すると、衣類にほとんど気付かない。
【０１０８】
さらに、本発明の衣類のメッシュ−多弾性ストラップおよび対向Ｃ構成は全可動域及び肩の可動性を可能にし、オーバーハンド運動による過伸展を防止し、回旋筋腱板の過伸展を防止し、したがって、髄下、棘下筋、大および小棘、ならびに棘上筋の損傷を防止する。この過伸展は防止されるが、回内、回外、屈曲、および伸展は限定されない。
【０１０９】
Ｃ形状ストラップは特定の長さおよび形状に切断されるとともに、所望の伸縮特性を有する特定の布から作製される。１または複数の実施形態では、第１および第２のＣ形状ストラップは、幅が約１〜２インチであるように構成される。例えば、ストラップの幅は、約０．５〜２．５インチの範囲であってもよい。Ｃ形状ストラップのこの幅は、肩甲骨を効果的に後退させ、着用者に快適さを提供するのに十分な後退力を可能にする。１または複数の実施形態では、第１および第２ストラップは、２方向伸縮材料などの伸縮性材料から作製される。パワーメッシュの裏地は、Ｃストラップ、背面パネルまたは前面パネル全体、または前面パネルおよび背面パネルの双方において、単層または２層とすることができる。
【０１１０】
第１および第２のＣ形状ストラップは、それぞれ、上部セクションおよび下部セクションに分割されてもよい。１または複数の実施形態では、第１ストラップは、第１ストラップ上部セクションと第１ストラップ下部セクションとからなる。１または複数の実施形態では、第２ストラップは、第２ストラップ上部セクションと第２ストラップ下部セクションとからなる。Ｃ形状ストラップの上部および下部セクションは、水平中央継ぎ目を介して互いに取り付けられている。
【０１１１】
１または複数の実施形態では、上部Ｃ形状ストラップセクションがブラジャーの胸部に接続する。１または複数の実施形態では、上部Ｃ形状セクションが肩鎖（ＡＣ）関節で肩の頂部を通過し、前方および後方移動を可能にする。使用時には、上部Ｃ形状セクションが肩の上に延在し、着用者の背中のほぼ中央で終端することができる。上部Ｃ形状セクションは着用者の脊柱のＣ７−Ｔ４椎骨の周り、その真下、またはその真上で終端することができる。本発明の一実施形態では、上部Ｃ形状セクションは通常、着用者の脊柱のＴ―５―Ｔ１２椎骨の周りで終端する。１または複数の実施形態では、上部Ｃ形状セクションが菱形筋および／または上部僧帽筋の長さに重なる。１または複数の実施形態では、上部Ｃ形状セクションが上部僧帽筋を横切って平坦に横たわり、菱形筋で終端する。本明細書に開示されるブラジャーのこのような設計および構成、ならびにその結果として、ストラップおよびその部分の後方筋肉に沿った位置は、固有受容に寄与する。Ｃ形状ストラップは、これらの特定の筋肉群に重なると、意識を刺激する。
【０１１２】
１または複数の実施形態では、第１および第２のＣ形状ストラップの下部セクションは、「Ｃ」形状を継続し、肩甲骨を後方脊柱に向かって持ち上げる機能を提供する。１または複数の実施形態では、下部Ｃ形状セクションは、脊柱の中央、ほぼＴ４〜Ｔ８椎骨で始まり、中央鋸筋付近で、またはその長さに沿って終わる。上部Ｃ形状セクションのこのような配置は胸郭を拡張させ、吸入時に横隔膜を開く。
【０１１３】
衣類デバイスは、水平方向の張力を提供し、第１Ｃ形状ストラップと第２Ｃ形状ストラップとの間に位置する多弾性ストラップをさらに含む。多弾性ストラップは特に、２つの対向するＣ形状ストラップの間に残された空隙を反映するような形状およびサイズであり、砂時計形状を呈する。
【０１１４】
ある実施形態では、後方多弾性ストラップは、「非伸縮性」ナイロンおよび／またはテンセルスパンデックスからなり得る。多弾性ストラップは、弾性材料から製造することができる。ある実施形態では、後部多弾性ストラップは、２方向伸縮性布からなり得る。任意に、多弾性ストラップは、ナイロン、テンセル、およびスパンデックスのうちの１または複数からなる。１または複数の実施形態では、メッシュ−多弾性ストラップは、約３０％〜約９０％のナイロンからなる。１または複数の実施形態では、多弾性ストラップは、約１０％〜約３０％のテンセルからなる。１または複数の実施形態では、多弾性ストラップは、約５％〜約４０％のスパンデックスからなる。１または複数の実施形態では、多弾性ストラップは、約８０％のナイロン、約１０％のテンセル、および約１０％のスパンデックスからなる。１または複数の実施形態では、合成または非合成布の組合せをすべて使用することができる。
【０１１５】
任意に、メッシュ−多弾性ストラップは、上下に配置された複数の可変張力多弾性ストラップを含む。例えば、ブラジャーは、３以上、４以上、または５以上の水平可変張力多弾性ストラップからなり得る。１または複数の実施形態では、可変張力多弾性ストラップは、水平方向に、上下に配置される。任意に、多弾性ストラップは、等間隔に離間している。さらに任意に、Ｘ字形構成で構築される可変張力多弾性ストラップ。１または複数の実施形態では、ブラジャーは、３つの水平可変張力多弾性ストラップと、Ｘ字形多弾性ストラップ構成とからなり、水平多弾性ストラップはＸ字形多弾性ストラップの上方に配置される。
【０１１６】
ある実施形態では使用時に、うなじに近接する位置と着用者の背中の中心まで下がる位置との間のメッシュ−多弾性ストラップ。ある実施形態では、使用時に、多弾性ストラップは肩甲骨に沿っておよび／または肩甲骨を横切って、上から下に横たわる。
【０１１７】
ある実施形態では、メッシュ−多弾性ストラップは、最大に延伸されたとき、すなわち、予め張力をかけられた状態で提供される。本明細書で使用される場合、用語「予め張力をかけられた状態」とは、衣類に縫い付けられたときに既に伸張されている布を指す。布は、既にそれらの最大プリテンションレベルまで延伸されたときに縫い付けることができる。
【０１１８】
任意に、メッシュ−多弾性ストラップは、予め張力をかけられた第１の水平多弾性ストラップまたは第２の水平多弾性ストラップを加えることのいずれかの１つまたは複数の構成を含むことができる。多弾性ストラップは、一方が他方の上に配置され、第１の上部多弾性ストラップおよび第２の下部多弾性ストラップを形成する。第１の上部多弾性ストラップは２方向伸縮性布からなることができ、Ｃ形状の第１ストラップ及び第２ストラップの上部セクションの間に配置することができる。第２の下部多弾性ストラップは、２方向伸縮性布からなることができ、Ｃ形状の第１および第２ストラップの下部セクションの間に配置することができる。１または複数の実施形態では、上部多弾性ストラップは、水平方向を向いており、第１および第２のＣ形状上部ストラップセクションを引っ張る。上部多弾性ストラップのそのような弾性は全可動域を可能にし、肩甲骨間の固有受容「引っ張り」を達成し、菱形筋の収縮を模倣する。着用者はこのような収縮を「記憶」することができ、肩を引っ込めることによって自動的に反応する。さらに、多弾性ストラップおよびＣ形状ストラップの張力は、肩の適切な解剖学的位置を可能にする。
【０１１９】
１または複数の実施形態では、下部多弾性ストラップが脊柱の中心に向かって（すなわち、Ｔ６−Ｔ８椎骨に向かって）、Ｃ形状ストラップの下部セクションを後退させる。このような後退は、緊密な胸郭を拡張させて、横隔膜の移動を増大させることができる。多弾性ストラップはまた、中立姿勢を促進することによって、適切な解剖学的構造の固有受容を補助する。
【０１２０】
１または複数の実施形態では、ブラジャーは、多弾性ストラップ部分の下に設けられ、着用者に張力および快適さを提供するように構成されたメッシュ層をさらに含む。様々なタイプの布材料が考えられ、本明細書に開示されるブラジャーのメッシュ層として使用することができる。例えば、メッシュ本体は、ナイロン、スパンデックス、綿、ポリエステル、シフォン、デニム、レース、皮革、羊毛、またはそれらの組み合わせからなる群から選択される材料から作製されてもよい。メッシュ層は、身体の習慣行動、年齢、および所望の活動に係属して、単一または複数であり得る。
【０１２１】
１または複数の実施形態では、弾性ストラップは、予め張力をかけられ、肩甲骨の超角度から肩甲骨の下角度まで、予め張力をかけられた構成で様々な長さであり得る。ＰＰＲブラジャーはＲおよびＬ肩甲骨の距離（腕を身体の側に置いて静止位置にあるもの）を最小５ミリメートル狭める。
【０１２２】
１または複数の実施形態では、姿勢ブラジャーは常にＲ及びＬ肩甲骨間距離を狭くし、５ｍｍ〜２５ｍｍの範囲でありうる。
【０１２３】
１または複数の実施形態では、予め張力をかけた弾性ストラップは、使用者の背中の外側または内側に構成することができる。
【０１２４】
１または複数の実施形態では、予め張力をかけられた弾性ストラップは、使用者によって外部で視覚化されない。
【０１２５】
本明細書に開示されるブラジャーは、脊柱に向かう垂直および／または水平の肩甲骨の後退をもたらし、および／または左右の肩甲骨間の距離を狭めることを可能にする。ここに開示されたブラジャーは、左右の肩甲骨間の距離を狭めることに成功している。経験的に測定されるように、Ｓｃａｐｕｌａ  Ｌｅｎｎｉｅ試験を利用して、ブラジャーは、平均して左右の肩甲骨間の距離を約１１ｍｍ(約５ｍｍ〜約２５ｍｍの範囲）狭くすることを示す。したがって、ある実施形態では、本明細書に開示されるブラジャーは、左右の肩甲骨間の距離を少なくとも約５ｍｍ狭くすることをもたらす。
【０１２６】
図１Ａおよび図１Ｂは、着用者の肩またはその近くで後方Ｃ形状部分（１１０）に接続する第１ストラップ（１１５）を有する、対向するＣ形状またはＣ形状の後方中央部分（１１０）を含む、本発明の衣類（１００）の後方部分を描写する。本発明の衣類（１００）は、着用者の背中の中心またはその近くで後方Ｃ形状中央部分（１１０）に接続する第２ストラップ（１２０）を含む。後方中央部分（１１０）は多弾性ストラップ（８００）を含み、拡張および収縮するように構成される。
【０１２７】
図８に示すように、多弾性ストラップ（８００）は、水平方向Ａ−Ａに伸びるように構成されている。ある実施形態では、第１ストラップおよび第２ストラップ（１１５、１２０）は、後方Ｃ形状中央部分（１１０）の布材料自体に接続することができる。
【０１２８】
ある実施形態では第１ストラップ（１１５）および第２ストラップ（１２０）は側部継ぎ目に接続し、側部継ぎ目は次いで多弾性ストラップに接続する。多弾性ストラップおよび側部継ぎ目は胸部バンドに接続する（図３Ａ参照）。
【０１２９】
ある実施形態では、後方Ｃ形状中央部分（１１０）は、８０％のナイロン、１０％のテンセル、および１０％のスパンデックスからなり得る。その結果、非伸縮性の織布が得られる。上述のように、後方Ｃ形状中央部分（１１０）が限定された量の布で着用者の姿勢を固有受容的に矯正するために、後方Ｃ形状中央部分（１１０）は、好ましくは第１ストラップおよび第２ストラップ（１１５、１２０）が調節されると、後方Ｃ形状中央部分（１１０）が着用者の背中に対してほぼ前方に押される引張りまたは力を及ぼす重量および剛性である。着用者に不快感を与えることなく、この所望の構造的剛性を達成する１つの方法は、ナイロン結合（１２５）を含むことであり、これはまた、着用者に「より重い感触」を提供する（図２を参照のこと）。
【０１３０】
他の実施形態では、多弾性ストラップが２つのＣの間にあり、したがって多弾性ストラップが自然に位置合わせを補正するための固定点として働くので、脊柱はもはや自然な固定点として働かない。この実施形態では、ストラップの２つのＣ形状部分は、着用者の姿勢を矯正するために多弾性ストラップと共に使用される。
【０１３１】
本発明の衣類（１００）の前方部分（図４）は、調節可能なストラップまたはモジュール式本体を使用して、後方部分（図１および図３Ａ）から取り外すことができる。図２を参照すると、前方部分（図４）の後方部分（図１及び図３）からの分離は、第１及び第２ストラップ（１１５、１２０）に組み込まれ、布ポケット（２１０）の下にあるナイロンループ（２２０、２３０）を含む複数の布ポケット（２１０）を介して達成することができる。フック（２４０）は、第１および第２ストラップ（１１５、１２０）の端部を終端させ、ナイロンループ（２２０、２３０）に挿入することができる。プラスチックフック（２４０）をナイロンループ（２２０、２３０）に挿入することにより、本発明の衣類（１００）の前部（図４）と後部（図１及び図３）とが所望の張力で互いに固定される。ある実施形態では、フック（２４０）は、プラスチック、ポリマー、ナイロン、または他の十分な剛性を有する材料から作製される。
【０１３２】
図３Ａおよび図３Ｂは、後方Ｃ形状中央部分（１１０）を含む、本発明の衣類（１００）の後方背部を描写する。第１ストラップ（１１５）はより高い柔軟性を提供するために、２方向伸縮性ポリスパンデックス織布から作製されてもよい。第１ストラップ（１１５）は長さが約１〜１と１／８インチ伸びて、快適さを提供するが、それでも着用者の姿勢を固有受容的に矯正する。第１ストラップ（１１５）は、肩鎖関節において着用者の肩を越えて通過し、着用者の肩を前方に引っ張り、肩甲骨を適切な解剖学的位置に配置するように構成される。弾性胸部バンド（３１０）は、より快適にフィットするように、２方向伸縮性布からなり得る。多弾性ストラップと組み合わされて、胸部バンドは胸郭を「開く」前方引張りを生み出し、したがって、既知のきつく過度に圧縮された姿勢のシャツと比較した場合、呼吸をより容易にし、したがって、より快適なフィット感を提供する。
【０１３３】
ある実施形態では、弾性胸部バンド（３１０）は、多弾性ストラップおよび側部継ぎ目に取り付けられる。
【０１３４】
図４は本発明の衣類（１００）の取り外し可能な前部を示し、これにより、使用者は、自分のニーズ、スタイル、および支えの好みに基づいて、単一の後部（図１および図３）および複数の前部（図４）を購入することができる。衣類前部は様々な身体形状およびサイズの男性および女性の着用者の双方に適応するように、前面全体、平坦な前面、または三角形のカット（４１０）で提供されてもよい。姿勢固有受容作用の大部分は多弾性ストラップ（８００）と、衣類後部（図１および図３）に固定された後方Ｃ形状中央部分（１１０）とによって達成されるので、衣類前部は機能性に影響を及ぼすことなく、「カットアンドソー」または継ぎ目なしであってもよい。衣類前部の下部は衣類後部の第２ストラップ（１２０）（図１及び図３）よりも小さい抵抗を有する別の材料（図６参照）によって覆われた弾性バンドを含むシース弾性体を含むことができ、従って、更なる快適さを提供する。ブラジャー（１００）の第１ストラップ（１１５）は図２に記載され描かれているように、布ポケット（２１０）およびナイロンループ（２２０、２３０）を介して、衣類背部の頂部で接続することができる。任意に、着用者に快適さおよび支えを提供するために、乳房下支持システム（４２０）を含めることができる。
【０１３５】
図５を参照すると、拡張弾性体（５１０）は、弾性胸部バンド（３１０）の拡大図として示されている。拡張弾性体（５１０）は、胸部バンド（３１０）に縫い付けられた高度に柔軟なアコーディオン型弾性体であってもよく、着用者に対する不快な３６０度の圧迫を制限する。拡張弾性体（５１０）はまた、これにより着用者が衣類をより容易に着用することができる。胸部バンド（３１０）は、拡張弾性体が縫い込まれる領域で折り畳まれ、折り目が付けられ（５２０）、拡張リミッタ（５３０）を含むことができる。
【０１３６】
図６を参照すると、第１および第２ストラップ（１１５、１２０）と一体のシース弾性体（６１０）が示されている。第１ストラップ（１１５）、第２ストラップ（１２０）、および弾性胸部（３１０）ストラップはすべて、弾性ストラップ（６３０）を覆う布ケーシングまたはシース（６２０）を含む、シース付き弾性体を含んでもよい。弾性胸部バンド（３１０）の場合、拡張弾性体（６１０）は、胸部ストラップまたはバンド（３１０）と一体であってもよく、またはそれに追加されてもよい。
【０１３７】
図７を参照すると、第１および第２ストラップ（１１５、１２０）への及びそれを用いた本発明の衣類（１００）の後方Ｃ形状中央部分（１１０）への接続および調節が明らかになる。図７は、後方Ｃ形状中央部分（１１０）とストラップとの間の接続点の拡大図を示す。左上および右上の２つの接続点を利用することができる。後方Ｃ形状中央部分（１１０）は、図６に示して説明するように、ナイロンポリマーループ（７１０）を介してストラップ（１１５、１２０、３１０）のシース弾性体（６１０）に接続することができる。ストラップ（１１５、１２０、３１０）は後方Ｃ形状中央部分（１１０）上のナイロンポリマーループ（７１０）を通過し、ベルクロ（登録商標）または他の調節および固定システムまたは方法を介して取り付けられてもよい。
【０１３８】
図８を参照すると、多弾性ストラップ（８００）が示されている。多弾性ストラップ（８００）は、水平方向Ａ−Ａに延伸するように構成される。ある実施形態では、第１ストラップおよび第２ストラップ（１１５、１２０）は、後方Ｃ形状中央部分（１１０）の布材料自体に接続することができる。
【０１３９】
図９を参照すると、図３Ａの側面図が示されている。図９は、ブラジャー（１００）の左側からの図を示す。図示のように、ブラジャー（１００）は、ブラジャー（１００）の前方部分に示されたストラップ（１２０）を有する。後方部分では、多弾性ストラップ（８００）が側部継ぎ目（９００）に接続されて示されている。胸部バンド（３１０）も示されている。布製のブラジャー（１００）の側面（９５０）も示されている。
【０１４０】
図１０〜図１５を参照すると、別の例示的なブラジャー１０００が示されている。ブラジャー１０００は、Ｃ形状の第１ストラップ（１１５０）およびＣ形状の第２ストラップ（１２００）を含み、このストラップは対向するＣ形状またはほぼＸ字形の構成を形成し、この対向するＣ形状は、着用者の背中を横切って決して接触しないか、または交差しない形状を形成する。第１ストラップ（１１５０）は、上部Ｃ形状ストラップセクション１１５１および下部Ｃ形状ストラップセクション（１１５２）を含む。第２ストラップ（１２００）は、上部Ｃ形状ストラップセクション１２０１および下部Ｃ形状ストラップセクション（１２０２）を含む。後方多弾性中央部分（１１１０）はＣ形状ストラップ（１１５０、１２００）を水平方向Ａ−Ａに拡張および収縮し、さらに伸張するように構成された、上部第１多弾性ストラップ（１８００）および下部第２多弾性ストラップ（１８５０）を含む。第１多弾性ストラップ（１８００）および第２多弾性ストラップ（１８５０）はスリット１５００が第１及び第２多弾性ストラップ（１８００、１８５０）の間に延在するように、離間している。単一または複数のメッシュ層（１４００）が多弾性中央部分（１１１０）の下に設けられるか、またはＣストラップまたは前面パネルもしくは背面パネル全体に、またはブラジャー全体に追加される。メッシュ層１４００は、着用者に張力および快適さを提供する合成または非合成布から作製される。ブラジャー１０００は、ブラジャー（１００）の胸部バンド３１０に類似し得る胸部バンド（１３１０）をさらに含む。
【０１４１】
図１６を参照すると、別の例示的なブラジャー２０００が示されている。ブラジャー２０００は、５つの多弾性ストラップ（２８００、２８１０、２８２０、２８３０、２８４０）を有することを除いて、ブラジャー１０００と同様である。ストラップ（２８００、２８１０、２８２０、２８３０、２８４０）は、互いに上下に水平に配置される。右肩甲骨と左肩甲骨との間の距離を最大限に狭めるために、ストラップは使用時に、ストラップが肩甲骨に沿って、および／または肩甲骨の上から下に横切るように、ブラジャー内に配置される。
【０１４２】
図１７を参照すると、別の例示的なブラジャー３０００が示されている。ブラジャー３０００は、最も下のストラップ（３８３０、３８４０）がＸ字形の構成で配置され、それによって肩甲骨を後退させるための追加の張力を与えることを除いて、ブラジャー２０００と同様である。右肩甲骨と左肩甲骨との間の距離をさらに最大限に狭めるために、ストラップは使用時に、ストラップが肩甲骨に沿って、および／または肩甲骨の上から下に横切るように、ブラジャー内に配置される。
【０１４３】
本発明のストラップ（１１５、１２０、３１０）を使用する衣類の前部および後部を固定するために、多くのおよび様々なシステムおよび方法が使用され得ることが考えられ、これらに限定されないが、ボタン、スナップ、ジッパー、フックおよびループ、穴およびレース、またはベルクロ（登録商標）タイプのファスナー、ならびにそれらの組み合わせを含む。
【０１４４】
以上、本発明の方法を実施するためのいくつかの実施形態について説明したが、その利点および目的は容易に理解することができる。上記の説明からの変形は、本発明の範囲から逸脱することなく、当業者によってなされてもよく、またなし得る。
【０１４５】
したがって、本発明は、説明された実施形態によって限定されるべきではなく、実施例によってのみ与えられ、限定によって与えられるものではない。
【図１】
2019173256.tif 000003
【図２】
2019173256.tif 000004
【図３】
2019173256.tif 000005
【図４】
2019173256.tif 000006
【図５】
2019173256.tif 000007
【図６】
2019173256.tif 000008
【図７】
2019173256.tif 000009
【図８】
2019173256.tif 000010
【図９】
2019173256.tif 000011
【図１０】
2019173256.tif 000012
【図１１】
2019173256.tif 000013
【図１２】
2019173256.tif 000014
【図１３】
2019173256.tif 000015
【図１４】
2019173256.tif 000016
【図１５】
2019173256.tif 000017
【図１６】
2019173256.tif 000018
【図１７】
2019173256.tif 000019
【外国語明細書】
2019173256.tif 000020
2019173256.tif 000021
2019173256.tif 000022
2019173256.tif 000023
2019173256.tif 000024
2019173256.tif 000025
2019173256.tif 000026
2019173256.tif 000027
2019173256.tif 000028
2019173256.tif 000029
2019173256.tif 000030
2019173256.tif 000031
2019173256.tif 000032
2019173256.tif 000033
2019173256.tif 000034
2019173256.tif 000035
2019173256.tif 000036
2019173256.tif 000037
2019173256.tif 000038
2019173256.tif 000039
2019173256.tif 000040
2019173256.tif 000041
2019173256.tif 000042
2019173256.tif 000043
2019173256.tif 000044
2019173256.tif 000045
2019173256.tif 000046
2019173256.tif 000047
CLAIMS
What is claimed is: 
1.
2019173256.tif 000048
2019173256.tif 000049
2019173256.tif 000050
2019173256.tif 000051
2019173256.tif 000052
2019173256.tif 000053
2019173256.tif 000054
2019173256.tif 000055
2019173256.tif 000056
2019173256.tif 000057
2019173256.tif 000058
2019173256.tif 000059
2019173256.tif 000060
2019173256.tif 000061
2019173256.tif 000062
2019173256.tif 000063
2019173256.tif 000064
2019173256.tif 000065
2019173256.tif 000066